(57)【要約】      （修正有）【課題】熱変形性のダイシングテープを用いて、ダイシングし、これをピックアップする際に、ダイシングテープの変形時における周辺チップの飛散等（飛散や傾き）を防止する。【解決手段】チップ状部品のピックアップ方法は、加熱により変形する層を有するダイシングテープＤＴに貼着した板状部品を切断分離し、周辺チップ６とチップ状部品５とを含む複数のチップを得るダイシング工程と、ダイシングテープを吸引可能な吸引部材１１に、ダイシングテープＤＴの背面を対面させて、周辺チップ６を保持する部分に対応する背面を吸引する吸引工程と、テープＤＴを変形させるための加熱を行う加熱工程と、チップ状部品５の上面より、吸引コレットでチップ状部品５を吸引把持して、ダイシングテープＤＴから取り上げるピックアップ工程とを備え、加熱工程の際に、吸引工程の吸引を行う。【選択図】図５
2012169548.tif 000002
【特許請求の範囲】
【請求項１】
加熱により変形する層を有するダイシングテープに貼着した板状部品を切断分離し、周辺チップとチップ状部品とを含む複数のチップを得るダイシング工程（１）と、
前記ダイシングテープを吸引可能な吸引部材に、前記周辺チップおよびチップ状部品を保持しているダイシングテープの背面を対面させて、
前記ダイシングテープの周辺チップを保持する部分に対応する背面を吸引する吸引工程（２）と、
該テープを変形させるための加熱を行う加熱工程（３）と、
前記チップ状部品の上面より、吸引コレットでチップ状部品を吸引把持して、ダイシングテープから取り上げるピックアップ工程（４）とを備え、
加熱工程（３）の際に、吸引工程（２）の吸引を行うチップ状部品のピックアップ方法。
【請求項２】
吸引工程（２）と、加熱工程（３）とを同時に開始する、請求項１に記載のピックアップ方法。
【請求項３】
さらに、ダイシングテープのチップ状部品を保持する部分に対応する背面を、加熱工程（３）の際に吸引部材によって吸引する吸引工程（５−１）を備える請求項１または２のチップ状部品のピックアップ方法。
【請求項４】
さらに、ダイシングテープのチップ状部品を保持する部分に対応する背面を、加熱工程（３）の後に吸引部材によって吸引する吸引工程（５−２）を備える請求項１または２のチップ状部品のピックアップ方法。
【請求項５】
板状部品が、回路を有する半導体ウエハであり、チップ状部品が半導体チップである請求項１〜４の何れかに記載のピックアップ方法。
【発明の詳細な説明】
【技術分野】
【０００１】
本発明は、半導体チップなどのチップ状部品のピックアップ方法に関する。より詳細には、例えば、半導体チップ等の小型電子部品の製造工程において、加熱により変形する層を有するダイシングテープ上の保持されたチップ状部品を、ダイシングテープを加熱変形させることで接着力を低減し、チップ状部品をピックアップする方法に関する。
【従来の技術】
【０００２】
従来より、半導体ウエハなどの多数の部品が形成された板状部品を部品毎のチップ体に分割する際には、ダイシングテープにより板状部材を固定して、部品毎に切断分離（ダイシング）するダイシング工程を行なっている。そして、このダイシング工程によって分割された個々のチップ状部品を、ダイシングテープからピックアップして（取り上げて）、例えば、別途用意したＴＡＢテープなどの電子部品実装用フィルムキャリアテープなどにダイボンディングして、半導体装置などの所望の装置を得ている。
【０００３】
チップ状部品をダイシングテープからピックアップする際には、ダイシングテープの背面から突き上げ針を突き上げて、チップ状物品をダイシングテープから剥離して、チップ状部品の上面より吸引コレットで吸引把持する方法が採用されている。近年、半導体ウエハは、実装効率を向上させるため、その厚さを極めて薄くするようになっている。このため、突き上げ時の衝撃で、チップ状部品が破損するおそれが高くなってきている。
【０００４】
特に近年では、チップの薄化傾向とともに貫通電極の設けられた、いわゆるＴＳＶ（Ｔｈｒｏｕｇｈ  Ｓｉｌｉｃｏｎ  Ｖｉａ）チップが用いられることが増えてきたが、このようなＴＳＶチップ用のウエハには貫通電極が設けられており、隣接する貫通電極の間がわずかな衝撃でも破壊されやすいので、突き上げ針による突き上げを行わないピックアップ方法が求められている。
【０００５】
このような状況に鑑みて、本出願人は、特許文献１（特開平１０−２３３３７３号公報）、特許文献２（特開平１０−２８４４４６号公報）、特許文献３（特開平１１−３８７５号公報）、特許文献４（特開２００４−１１９９９２号公報）に開示されるように、ピックアップの際に、突き上げ針による突き上げを行なうことなく、吸引コレットによる吸引のみで、チップ状部品をダイシングテープからピックアップできるダイシングテープおよび装置を提案した。
【０００６】
これら特許文献１〜４に開示されたダイシングテープを用いたピックアップ方法の概略的な機構を示せば、以下のとおりである。すなわち、図１に示すように、ダイシングテープＤＴは、非収縮性フィルム１と、収縮性フィルム２と、粘着剤層３とからなり、非収縮性フィルム１と、収縮性フィルム２とは直接積層されていてもよく、図示したように接着剤層４を介して積層されていてもよい。
【０００７】
上記のようなダイシングテープＤＴの粘着剤層３を、半導体ウエハＳＷに貼着し、複数のチップにダイシングする。ダイシングの結果、半導体ウエハの周縁部も切断され、製品となるチップ状部品５のほか、後述する「周辺チップ６」も生成する。ダイシング時には、図２に示すように、半導体ウエハとともに収縮性フィルム２を完全に切断しておく。また、ダイシングテープＤＴの外周部はリングフレーム７により固定しておく。ダイシング直後には、各チップは、ダイシングブレードの幅の間隔で整列している。続いて、加熱により収縮性フィルム２を収縮させる。チップ直下の収縮性フィルム２の収縮に伴い、粘着剤層３も変形し、図３に示すように、チップ状部品５と粘着剤層３との接触面積が激減し、またこの際にチップ状部品５と粘着剤層３との間にずれ応力が生じるため、チップ状部品５と粘着剤層３との接着力が低下し、ピックアップが容易となる。
【０００８】
また、特許文献５（特開２００２−２８０３３０号公報）には、上記のようなダイシングテープを用いて板状部材をダイシングし、ダイシングテープを加熱変形して、チップとダイシングテープとの間の接着力を低下した後に、ダイシングテープの背面側から吸引することで、さらにチップとダイシングテープとの間の接着力が低下し、ピックアップを容易にする技術が開示されている。
【先行技術文献】
【特許文献】
【０００９】
【特許文献１】特開平１０−２３３３７３号公報
【特許文献２】特開平１０−２８４４４６号公報
【特許文献３】特開平１１−３８７５号公報
【特許文献４】特開２００４−１１９９９２号公報
【特許文献５】特開２００２−２８０３３０号公報
【発明の開示】
【発明が解決しようとする課題】
【００１０】
半導体チップに代表されるように、チップ状部品には、小型化、薄化、軽量化が求められ続けている。チップ状部品の小型化、薄化、軽量化が進められた結果、上記のようなダイシングテープを用いた際に、特に加熱工程において、いわゆる「周辺チップ」が飛散するなどの現象が多発するようになった。
【００１１】
図４に示すように、半導体ウエハＳＷを、回路８毎に区画するダイシングラインＤＬに沿って切断分離すると、内周部においては製品となるチップ状部品５が生成し、外周部にいわゆる「周辺チップ６」が生成する（以下、チップ状部品と周辺チップを総称して単に「チップ」と記載することがある）。周辺チップ６には通常回路が形成されておらず、また形状もいびつであり、製品とはならない。周辺チップの多くは三辺または二辺のみが切断された状態にある。
【００１２】
製品となるチップ状部品５に隣接する周辺チップ６の側部では、収縮性フィルム２が完全に切断されているが、リングフレーム７側の収縮性フィルム２は切断されていない。すなわち、チップ状部品５がリングフレームとは断絶した収縮性フィルム２上に粘着剤層３を介して保持されているのに対し、周辺チップ６は、一端がリングフレームに固定された収縮性フィルム２上に粘着剤層３を介して保持されている。
【００１３】
このような状態で収縮性フィルムの変形（収縮）を行うと、周辺チップ６が粘着剤層３から剥離し、飛散してしまうことがある。特に、チップの近年の小型化、薄化、軽量化により、周辺チップも同様に小型化、薄化、軽量化したため、このような飛散が起こりやすくなってきた。飛散した周辺チップ６は、チップ状部品５上にも落下し、チップ状部品５の回路を破損したり、またチップ状部品５のピックアップを妨害したりする。また、周辺チップ６が飛散しないまでも、加熱変形により傾き、ダイシングテープに対する水平を保たずにダイシングテープ上に残存し、搬送時の不具合の原因となる場合がある。
【００１４】
本発明は、上記のような状況に鑑みてなされたものであって、熱変形性のダイシングテープを用いて、半導体ウエハ等の板状部材をダイシングし、チップ状部品を製造し、これをピックアップする際に、ダイシングテープの変形時における周辺チップの飛散等（飛散や傾き）を防止するとともに、突き上げ針による突き上げを行なうことなく、チップ状部品をピックアップすることができるチップ状部品のピックアップ方法を提供することを目的とする。
【課題を解決するための手段】
【００１５】
上記課題を解決する本発明は、下記の要旨を含む。
［１］加熱により変形する層を有するダイシングテープに貼着した板状部品を切断分離し、周辺チップとチップ状部品とを含む複数のチップを得るダイシング工程（１）と、
前記ダイシングテープを吸引可能な吸引部材に、前記周辺チップおよびチップ状部品を保持しているダイシングテープの背面を対面させて、
前記ダイシングテープの周辺チップを保持する部分に対応する背面を吸引する吸引工程（２）と、
該テープを変形させるための加熱を行う加熱工程（３）と、
前記チップ状部品の上面より、吸引コレットでチップ状部品を吸引把持して、ダイシングテープから取り上げるピックアップ工程（４）とを備え、
加熱工程（３）の際に、吸引工程（２）の吸引を行うチップ状部品のピックアップ方法。
【００１６】
［２］吸引工程（２）と、加熱工程（３）とを同時に開始する、［１］に記載のピックアップ方法。
【００１７】
［３］さらに、ダイシングテープのチップ状部品を保持する部分に対応する背面を、加熱工程（３）の際に吸引部材によって吸引する吸引工程（５−１）を備える［１］または［２］のチップ状部品のピックアップ方法。
【００１８】
［４］さらに、ダイシングテープのチップ状部品を保持する部分に対応する背面を、加熱工程（３）の後に吸引部材によって吸引する吸引工程（５−２）を備える［１］または［２］のチップ状部品のピックアップ方法。
【００１９】
［５］板状部品が、回路を有する半導体ウエハであり、チップ状部品が半導体チップである［１］〜［４］の何れかに記載のピックアップ方法。
【発明の効果】
【００２０】
本発明においては、熱変形性のダイシングテープ上に整列保持されたチップ状部品を、該ダイシングテープを加熱変形させてピックアップする際に、前記ダイシングテープの周辺チップを保持する部分に対応する背面が吸引された状態で該テープを加熱変形している。ダイシングテープの周辺チップを保持する部分に対応する背面を吸引により加熱工程の際に固定しているため、周辺チップが保持されたダイシングテープ周縁部の加熱工程における急激かつ過度な変形を抑制できる。このため、周辺チップの飛散等が抑制され、チップ状部品の破損が防止される。
【図面の簡単な説明】
【００２１】
【図１】本発明で使用可能なダイシングテープの一実施形態の概略断面図である。
【図２】ダイシング工程を示す概略断面図である。
【図３】加熱工程を示す概略断面図である。
【図４】回路が形成された半導体ウエハの平面図である。
【図５】本発明の実施態様に係る真空吸引加熱装置の使用態様を示す断面図である。
【図６】本発明の実施態様に係る真空吸引加熱装置の使用態様を示す断面図である。
【発明の実施の形態】
【００２２】
以下、本発明に係るチップ状部品のピックアップ方法の実施の形態について、添付図面に基づいて説明する。
【００２３】
本発明に係るピックアップ方法は、ダイシング工程（１）と、吸引工程（２）と、ダイシングテープの背面が吸引された状態で該テープを変形させるための加熱を行う加熱工程（３）と、ピックアップ工程（４）とを備えることを特徴としている。以下、工程毎に説明する。
【００２４】
＜ダイシング工程（１）＞
ダイシング工程（１）では、加熱により変形する層を有するダイシングテープＤＴに貼着した板状部品を、複数のチップに切断分離する。これにより、板状部材の内側から、通常製品となるチップ状部品５と、チップ状部品５の外周に位置する、廃棄またはリサイクルされる周辺チップ６が得られる。
【００２５】
本発明に適用可能な板状部品としては、その素材に限定はなく、ＴＳＶチップ用ウエハ等の半導体ウエハ、ガラス基板、セラミック基板、ＦＰＣ、発光素子材料、半導体チップが載置され樹脂封止された基板などの有機材料基板、精密部品などの金属材料、またはこれらの複合材料など種々の物品に適用できる。
【００２６】
本明細書では、図４に示したように、表面に回路８が形成された半導体ウエハＳＷを板状部材の代表例にとり説明するが、本発明における板状部材は半導体ウエハに限定されることはない。
【００２７】
本発明に使用可能な加熱変形可能なダイシングテープＤＴは、たとえば、図１に示したように、非収縮性フィルム１と、収縮性フィルム２と、粘着剤層３とがこの順に積層されてなるものを採用できるが、加熱により変形する層を有していれば特に限定されない。非収縮性フィルム１と、収縮性フィルム２とは直接積層されていてもよく、図示したように接着剤層４を介して積層されていてもよい。収縮性フィルムは加熱により収縮する熱収縮性フィルムであることが好ましい。加熱変形した後に、粘着剤層３からチップ状部品５が剥離しやすくなるように、粘着剤層３は紫外線硬化型のものが好ましい。このようなダイシングテープは、特許文献１〜４にその詳細が記載されている。また、ダイシングテープＤＴはこれに限らず加熱に変形する層を有していればよく、例えば、テープの任意の層に加熱発泡剤が添加され、加熱発泡により該層が変形する粘着テープを使用してもよい。
【００２８】
上記のようなダイシングテープＤＴ上に板状部材を貼着し、ダイシングブレードなどを用いたダイシングなど公知の方法により、板状部材を切断し、チップ状部品５を得る（図２参照）。板状部材が、表面に回路８が形成された半導体ウエハＳＷの場合には、回路毎に区画するダイシングラインＤＬに沿って半導体ウエハを切断分離することで、半導体チップ５が得られる。半導体ウエハの外周部には通常回路は形成されていない。半導体ウエハをダイシングラインＤＬに沿って切断分離すると、外周部も異形のチップに切断され、周辺チップ６が生成する。
【００２９】
なお、板状部材のダイシングに際しては、板状部材とともに収縮性フィルム２を完全に切断しておく。また、ダイシングテープＤＴの外周部はリングフレーム７により固定しておく。ダイシング直後には、各チップは、ダイシングブレードの幅の間隔で整列している。
【００３０】
本発明の吸引工程（２）、加熱工程（３）、ならびに吸引工程（５−１）および（５−２）の説明に先立って、図５を用いて本発明のチップ状部品のピックアップ方法を実施するための真空吸引加熱装置の実施の形態を説明する。図５に示したように、真空吸引加熱装置１０は、例えば、ポーラスなセラミック材料により形成された吸引テーブル１１を備えており、バキュームライン１２を介して、図示しない真空ポンプなどの真空源の作用によって負圧により、チップ状部品５および周辺チップ６が保持されている部分に対応するダイシングテープＤＴの背面を吸引固定するように構成されている。ポーラスなセラミック材料１１には、チップ状部品が保持されている部分と、周辺チップ６が保持されている部分とに対応するダイシングテープＤＴの背面を別々に吸引できるように、隔壁１４が設けられており、また、バキュームライン１２は隔壁１４で区画された領域を別々に吸引できるように分岐し、分岐部には分岐弁１５が設けられている。なお、この吸引テーブル１１は、上記のようなセラミック材料に限定されず、チップ保持部に対応するテープ背面を吸引できるように、多数の吸引孔が配置穿設された金属製の円盤を使用してもよい。また、チップ状部品５および周辺チップ６が保持されている部分に対応するダイシングテープＤＴの背面を同時に吸引する場合は、図６に示すように、隔壁１４は設けられていなくてもよく、バキュームライン１２は分岐していなくてもよく、分岐弁１５は設けられていなくてもよい。また、テーブルの上面は平滑な面の他、チップの大きさよりも小さい凹凸が形成されているテーブルを使用するなど、種々の公知の吸引テーブルの構成を採用することができる。
【００３１】
また、この真空吸引加熱装置１０は、ダイシングテープＤＴを熱収縮するために、ポーラスなセラミック材料の下方に位置し、バキュームライン１２の位置を避けて配置された加熱手段１３を備える。この加熱手段１３として、シーズヒータがテーブル内に配設された構造、ラバーヒータとするなど周知の加熱手段が採用可能であり、特に限定されるものではない。さらに、真空吸引加熱装置１０の上方には、ダイシングテープＤＴからチップを吸引剥離するために、図示しないが、吸引テーブル１１の上方の空間を上下左右に位置移動自在な吸引コレットが配置されており、バキュームポンプ（図示せず）の作用によって、ダイシングテープＤＴ上のチップをチップ毎に吸引固定するようになっている。
【００３２】
この実施形態の真空吸引加熱装置１０では、テープ裏面からの真空吸引を、チップ保持部に対応するテープ背面に対して行う。また加熱装置１３を備えるため、テープＤＴを吸引しつつ加熱を行うことができる。
【００３３】
＜吸引工程（２）＞
本発明のピックアップ方法では、ダイシング工程後、後記の加熱工程（３）の際にチップ状部品５および周辺チップ６を保持しているダイシングテープＤＴの背面を吸引部材に対面させて、少なくともダイシングテープの周辺チップ６を保持する部分に対応する背面を吸引する。加熱工程（３）の実施をする際には、ダイシングテープＤＴの周辺チップ６を保持する部分に対応する背面が吸引部材により吸引され、加熱によるダイシングテープＤＴの変形が抑制される。
【００３４】
上記のような吸引加熱装置に接続された真空ポンプなどの吸引源の作動させることで、ダイシングテープ背面を吸引し、テープを一時的に固定することができる。真空吸引加熱装置の吸引時における負圧圧力としては、チップを破損しないように、２０ＫＰａ以上、好ましくは７０ＫＰａ以上とするのが望ましい。なお、本発明におけるダイシングテープ背面の吸引は、吸引源の作動によって発生させる負圧によるものであってもよいし、吸引源を作動させ、停止した後に残存する負圧によるものであってもよい。
【００３５】
＜加熱工程（３）＞
本発明では、上記のような吸引部材を用いて、ダイシングテープＤＴの周辺チップ６を保持する部分に対応する背面が吸引部材により吸引され、気密的に固定された状態において、加熱工程（３）を行う。
【００３６】
具体的には、少なくとも加熱工程（３）によりダイシングテープＤＴの周辺チップ６が保持されている部分が変形を起こす寸前に吸引されている状態である必要がある。
【００３７】
加熱工程（３）の開始後、周辺チップの飛散等が発生するまでの時間は条件によって異なり、また個体差があるので、吸引工程（２）と加熱工程（３）とは、同時に開始するか、吸引工程（２）をはじめに開始し、吸引状態を維持しつつ、加熱工程（３）を開始することが好ましい。吸引工程（２）と加熱工程（３）とを同時に開始する場合には、たとえば吸引加熱装置の、ダイシングテープの周辺チップ６を保持する部分に対応する背面との接触部を加熱しておき、その後、ダイシングテープ背面側を吸引加熱装置の吸引部に載置すると同時に、ダイシングテープの周辺チップ６を保持する部分に対応する背面への吸引を開始すればよい。
【００３８】
また、吸引工程（２）の後に、加熱工程（３）を開始する場合には、ダイシングテープ背面側を吸引加熱装置の吸引部に載置し、吸引源を作動し、ダイシングテープの周辺チップ６を保持する部分に対応する背面への吸引を開始した後に、吸引源の作動を継続しながら、加熱装置を作動し、ダイシングテープの周辺チップ６を保持する部分に対応する背面との接触部を加熱すればよい。吸引加熱装置は、稼動している間は高温を保っていることが多いため、吸引工程（２）と、加熱工程（３）は同時に開始することがより好ましい。
【００３９】
吸引は、周辺チップの飛散等が生じない程度にダイシングテープの変形が進行すれば、終了してもよいが、加熱工程（３）の完了までの間は、吸引を行っていることが好ましい。
【００４０】
加熱工程（３）における加熱温度および加熱時間は、特に限定はされず、収縮性フィルム２が変形しうる温度、時間であればよく、収縮性フィルムの材質、性質に応じて適宜に設定される。何ら限定されるものではないが、一般的に、ダイシングテープＤＴを８０〜１５０℃、３０〜１２０秒間程度に加熱すればよい。
【００４１】
上記のようにダイシングテープＤＴを加熱することで、収縮性フィルム２が変形する。チップ直下の収縮性フィルム２の収縮に伴い、粘着剤層３も変形し、図３に示すように、チップ状部品５と粘着剤層３との接触面積が激減し、またこの際にチップ状部品５と粘着剤層３との間にずれ応力が生じるため、チップ状部品５と粘着剤層３との間の接着力が低下する。なお、ダイシングテープＤＴの粘着剤層３を紫外線硬化型粘着剤により形成した場合は、ダイシングテープＤＴの背面側から紫外線を照射し、粘着剤層３を硬化して粘着力を低減させる。紫外線照射は、加熱工程、ならびに場合によって行われる後記の吸引工程（５−１）および（５−２）での剥離を効率的に行わせるために、加熱工程（３）ならびに吸引工程（５−１）および（５−２）の前に行うことが好ましいが、その後であってもよい。
【００４２】
本発明では、ダイシングテープの周辺チップを保持する部分に対応する背面を吸引により加熱工程の際に固定しているため、周辺チップが保持されたダイシングテープ周縁部の加熱工程における急激かつ過度な変形を抑制できる。このため、周辺チップの飛散等が抑制され、チップ状部品の破損が防止される。
【００４３】
周辺チップが飛散する理由は、チップ状部品５の下の収縮性フィルムの場合では、収縮性フィルムがダイシングにより分離され孤立された状態となっており、収縮が収縮性フィルムの面の中央方向に向かって均一に起こるのに比べて、周辺チップ６が粘着剤層３を介して保持されている収縮性フィルムは、一端がリングフレームに固定されているので、収縮が外周方向にのみ向かう偏ったものとなりやすいことや、周辺チップ６は面積が小さいいので、小さな力でも飛散等が起こりやすいことであると推測される。
【００４４】
しかし、吸引工程（２）でダイシングテープの周辺チップ６を保持する部分に対応する背面を吸引することによりダイシングテープが一時的に固定され、収縮により生じる周辺チップ６への力が規制され、加熱工程（３）における周辺チップ６の飛散等を抑制することができると考えられる。
【００４５】
＜ピックアップ工程（４）＞
上記のような吸引工程（２）加熱工程（３）、ならびに場合によって行われる後記の吸引工程（５−１）および（５−２）を経た後、ダイシングテープＤＴの粘着剤層表面には、チップ状部品５が一定の間隔で整列し、粘着剤層とチップ状部品５との間の接着力は低下している。したがって、チップ状部品のピックアップを容易に行うことができる。
【００４６】
チップ状部品のピックアップ方法は特に限定はされず、従来の突き上げ針を用いたピックアップ方法であってもよいが、本発明では、チップ状部品５と粘着剤層３との間の接着力が低いため、突き上げ針を使用せずに、吸引コレットのみによってチップ状部品のピックアップが可能になる。
【００４７】
具体的には、チップ状部品５の位置をセンサーなどで検出して、図示しない吸引コレットを左右に移動して位置決めして下降させることによって、チップ状部品５が個々に吸引されてピックアップされ、別途用意したＴＡＢテープなどの電子部品実装用フィルムキャリアテープなどにダイボンディング（実装）される。この際、従来のように突き上げピンを使用しなくてすむので、チップ状部品の損傷や、チップ状部品下面への粘着剤の付着が防止できる。
【００４８】
本発明のピックアップ方法は、突き上げ針による突き上げを行わないことができ、かつ周辺チップの飛散等が抑制されるため、特にＴＳＶチップのピックアップに好適である。
【００４９】
＜吸引工程（５−１）＞
本発明のピックアップ方法では、ダイシング工程後、加熱工程（３）の際にチップ状部品５および周辺チップ６を保持しているダイシングテープＤＴの背面を吸引部材に対面させて、ダイシングテープのチップ状部品５を保持する部分に対応する背面を吸引してもよい。
【００５０】
本発明のピックアップ方法をこのようなプロセスとすることで、チップ状部品５がきわめて薄いチップや特殊な形状のＴＳＶチップ等である場合に生じるチップ状部品５の飛散や傾きをも抑制することができる。また、ダイシングテープＤＴの加熱変形によるチップの剥離を進展させ、ピックアップを容易とすることができる。
【００５１】
加熱工程（３）の際にチップ状部品５を保持する部分に対応するダイシングテープＤＴの背面を吸引固定した場合に、チップ状部品５が剥離して飛散することなどが抑制されることと、チップ状部品５の剥離が進展することという、一見相反する二つの現象が同時に起こることは驚くべきことである。ダイシングテープ背面の吸引の作用では、ダイシングテープの急激かつ過度の変形を抑制し、瞬間的に進行する速い剥離を抑制する効果と、加熱による変形とは異なる態様の変形を生じさせ、剥離を穏和に進展させる効果が並存していると考えられる。
【００５２】
加熱工程（３）の際に吸引工程（５−１）を行う具体的な手法は、吸引工程（２）において、吸引および加熱を行うのを、チップ状部品５を保持する部分に対応する背面とする以外は、吸引工程（２）についてと同様の手順により行うことができる。
【００５３】
吸引工程（５−１）を加熱工程（３）の際に行う場合には、吸引は加熱工程（３）の完了よりも前に終了してもよいし、加熱工程（３）の完了と同時に終了してもよいし、加熱工程（３）の完了後も継続していてもよい。チップ状部品５の飛散等を抑制する目的から、少なくとも加熱工程（３）の完了まで吸引を持続させることが好ましい。加熱工程（３）の完了後も吸引を継続する場合は、加熱工程（３）の際に吸引工程（５−１）を行うこと、および以下に述べる加熱工程（３）の後に行う吸引工程（５−２）の両方を行っていることになる。
【００５４】
吸引工程（５−１）は、加熱工程（３）の際に行うことが吸引工程（２）と共通しているので、吸引工程（２）と同時に開始してもよいし、吸引工程（２）と同時に終了してもよい。
【００５５】
＜吸引工程（５−２）＞
本発明のピックアップ方法では、ダイシング工程後、加熱工程（３）の完了後にチップ状部品５および周辺チップ６を保持しているダイシングテープＤＴの背面を吸引部材に対面させて、ダイシングテープのチップ状部品５を保持する部分に対応する背面を吸引してもよい。本発明のピックアップ方法をこのようなプロセスとすると、加熱工程（３）の際にチップ状部品５を保持する部分に対応するダイシングテープＤＴの背面が吸引固定されていない場合には、チップ状部品５の飛散等を抑制する効果はないものの、ダイシングテープＤＴの加熱変形によるチップの剥離を進展させ、ピックアップを容易とすることができる。本発明のピックアップ方法をこのようなプロセスとすることで、より大きなチップ状部品５であっても、突き上げ針による突き上げなしでピックアップを行うことが容易となる。
【００５６】
加熱工程（３）の後に、吸引工程（５−２）を行う場合には、加熱工程（３）が完了した後に吸引工程（５−２）を開始することになる。その具体的な手法は、加熱工程（３）の際に、吸引工程（２）および吸引工程（５−１）を行った場合には、これらの吸引工程を引き続き行えばよい。また、ダイシングテープ背面側を吸引加熱装置の吸引部に載置した後、加熱手段を作動し、吸引工程（２）を行うとともに、吸引工程（５−１）を行わずに、ダイシングテープのチップ状部品５および周辺チップ６を保持する部分に対応する背面との接触部を加熱し、ダイシングテープが変形するのに十分な時間を経過した後に加熱装置を停止し、次いで吸引源を作動してダイシングテープのチップ状部品５を保持する部分に対応する背面への吸引を開始すればよい。吸引工程（５−２）を加熱工程の後に行う場合には、吸引工程（５−２）は剥離の進展が行われた後に終了すればよい。
【実施例】
【００５７】
以下、本発明を実施例によりさらに具体的に説明するが、本発明はこれら実施例に限定されるものではない。ピックアップ方法を用いてチップをピックアップした際のピックアップ性を以下のように評価した。
【００５８】
［ピックアップ性］
吸引コレットのみで剥離できるかを５回評価した。表中、「○」は、５回とも問題なくチップを剥離できたことを意味し、「△」は１回でも剥離できなかったことを意味する。
【００５９】
（実施例１）
＜ダイシングテープの製造＞
（１）有機溶剤中でブチルアクリレート６０重量部、メチルメタクリレート２０重量部、２−ヒドロキシエチルアクリレート２８重量部からなる共重合体１００ｇに対して３３.６ｇメタクリロイルオキシエチルイソシアネートを反応させて得られたポリマー１００重量部、紫外線硬化型反応開始剤３重量部、架橋剤（イソシアナート系）1重量部との反応物を作成した。
【００６０】
（２）上記（１）で得られた粘着剤組成物を、剥離処理された厚さ３８μｍのポリエチレンテレフタレートフィルム上に乾燥後の厚さが１０μｍとなるように塗布し、１００℃で１分間加熱し、乾燥させた。次いで、熱収縮性ポリエチレンテレフタレートフィルム（厚さ３０μｍ、１２０℃における収縮率が５０％）を、該剥離処理されたポリエチレンテレフタレートフィルム上の粘着剤層側に貼合し、収縮性粘着フィルムを作成した。
【００６１】
（３）ブチルアクリレート８０重量部、アクリル酸２０重量部からなる共重合体１００重量部と、架橋剤（イソシアナート系）０．1重量部、有機溶剤の混合物を作成した。
【００６２】
（４）上記（３）で作成した粘着剤組成物を、非収縮性エチレン-メタクリル酸共重合体フィルム（厚さ８０μｍ、１２０℃における収縮率が０．１％）上に乾燥後の厚さが１０μｍとなるように塗布し、１００℃で１分間加熱して乾燥し、非収縮性粘着フィルムを作成した。次いで、（２）で作成した収縮性粘着フィルムの収縮性フィルム基材側に、非収縮性粘着フィルムの粘着剤層を貼合し、ダイシングテープを作成した。 
【００６３】
＜チップの製造およびピックアップ＞
直径８インチ、３０μｍ厚みのシリコンウエハを、上記ダイシングテープから厚さ３８μｍのポリエチレンテレフタレートフィルムを剥離除去して露出させた粘着剤面に貼着した。テープの外周部の粘着剤面を８インチウエハ用リングフレームに貼着して固定した。テープ上のウエハをダイシング装置（ＤＦＤ６５１、ディスコ株式会社製）で、ダイシング（チップサイズ：１２ｍｍ×８ｍｍ）し、チップ状部品および周辺チップを得た。ダイシング時には、ウエハとともにダイシングテープの粘着剤層表面から７０μｍの深さまで切り込むようにダイシングし、熱収縮性ポリエチレンテレフタレートフィルムを完全に切断した。
【００６４】
ダイシング終了後、紫外線照射装置（Ａｄｗｉｌｌ  ＲＡＤ−２０００ｍ／８、リンテック株式会社製）を用いて、ダイシングテープに紫外線照射（２３０ｍＷ／ｃｍ２、１９０ｍＪ／ｃｍ２）を行った。図６に示されるものと同様の吸引テーブルを１１０℃に加熱してチップ状部品を保持する部分および周辺チップを保持する部分、すなわち切断分離前のウエハ全体に対応するテープ背面を吸引し固定した（吸引圧８５KPa（負圧）、６０sec）。吸引を終了後、ダイシングテープを吸引テーブルから取り上げた。これにより、加熱工程（３）の際に吸引工程（２）および吸引工程（５−１）が同時に開始されて行われた。ウエハ外周部の小さいチップ状部分（周辺チップ）は飛散および傾きが起こらず、テープに固定されていた。その後、取り上げたダイシングテープから、吸引コレット（AG-I/50N-100kN、ＳＨＩＭＡＤＺＵ製）で、ピンによる突き上げを行うことなくチップ状部品のピックアップを行った。結果を表１に示す。
【００６５】
（実施例２）
実施例１と同様に、テープの準備、ウエハの貼着、ダイシングおよび紫外線照射（２３０ｍＷ／ｃｍ２、１９０ｍＪ／ｃｍ２）を行った。実施例１と同じ吸引テーブルにてチップ状部品を保持する部分および周辺チップを保持する部分、すなわち切断分離前のウエハ全体に対応するテープ背面を吸引し固定（吸引圧８５KPa（負圧））した。吸引固定の後に、吸引状態を維持しつつ加熱（１１０℃、６０sec）を行った以外は実施例１と同様の操作を行った。これにより、加熱工程（３）の際に吸引工程（２）および吸引工程（５−１）が行われた。ウエハ外周部の小さいチップ状部分（周辺チップ）は飛散および傾きが起こらず、テープに固定されていた。その後、取り上げたダイシングテープから、実施例１と同様にチップ状部品のピックアップを行った。結果を表１に示す。
【００６６】
（比較例１）
実施例１と同様に、テープの準備、ウエハの貼着、ダイシングおよび紫外線照射（２３０ｍＷ／ｃｍ２、１９０ｍＪ／ｃｍ２）を行った。紫外線照射の後に、テープを図５に示されるのと同様の構造の吸引テーブルにより加熱（１１０℃、６０sec）した。その後、周辺チップを保持する部分に対応するダイシングテープの背面を吸引した（吸引圧８５KPa（負圧）、６０sec）。これにより、加熱工程（３）の後に吸引工程（２）が行われた。ウエハ外周部の小さいチップ状部分は加熱の最中に飛散した。その後、吸引テーブルから取り上げたダイシングテープから、実施例１と同様にチップ状部品のピックアップを行った。結果を表１に示す。
【００６７】
（比較例２）
実施例１と同様に、テープの準備、ウエハの貼着、ダイシングおよび紫外線照射（２３０ｍＷ／ｃｍ２、１９０ｍＪ／ｃｍ２）を行った。紫外線照射の後に、テープを図６に示されるのと同様の吸引テーブルにより加熱（１１０℃、６０sec）を行った。次に、チップ状部品を保持する部分および周辺チップを保持する部分、すなわち切断分離前のウエハ全体に対応するテープ背面を吸引し剥離を進展させた（吸引圧８５KPa（負圧）、６０sec）。これにより、加熱工程（３）の後に吸引工程（２）および吸引工程（５−２）が行われた。ウエハ外周部の小さいチップ状部分は加熱の最中にテープから飛散した。その後、吸引テーブルから取り上げたダイシングテープから、実施例１と同様にチップ状部品のピックアップを行った。結果を表１に示す。
以上の結果を下表にまとめる
【表１】
2012169548.tif 000003
【符号の説明】
【００６８】
ＤＴ：ダイシングテープ
１：非収縮性フィルム
２：収縮性フィルム
３：粘着剤層
４：接着剤層
５：チップ状部品（半導体チップ）
６：周辺チップ
７：リングフレーム
ＳＷ：板状部材（半導体ウエハ）
８：回路
１０：真空吸引加熱装置
１１：吸引テーブル
１２：バキュームライン
１３，２３，３３：加熱装置
１４：隔壁
１５：分岐弁
【図１】
2012169548.tif 000004
【図２】
2012169548.tif 000005
【図３】
2012169548.tif 000006
【図４】
2012169548.tif 000007
【図５】
2012169548.tif 000008
【図６】
2012169548.tif 000009